【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
ハプティック効果を生成する方法であって、
第１のユーザのためのハプティック許可設定を受け付けるステップと、
前記ハプティック許可設定を、前記第１のユーザのための許可されたハプティックパラメータ範囲と関連付けるステップと、
第２のユーザからハプティックパラメータを受け付けるステップと、
前記許可されたハプティックパラメータ範囲外である各ハプティックパラメータについて、前記ハプティックパラメータを修正して、前記許可されたハプティックパラメータ範囲内である修正された前記ハプティックパラメータを形成するステップと、
前記許可されたハプティックパラメータ範囲内である前記ハプティックパラメータ及び修正された前記ハプティックパラメータに基づいて、ハプティック信号を生成するステップと、
前記第１のユーザのための前記ハプティック効果を生成するために前記ハプティック信号をハプティック出力デバイスに出力するステップと、
を備える方法。
【請求項２】
前記第２のユーザは、前記第１のユーザのための前記ハプティック効果の開始を提供するために認証される請求項１に記載の方法。
【請求項３】
前記ハプティックパラメータが、前記許可されたハプティックパラメータ範囲外であるとき、前記第１のユーザのための前記ハプティック効果を除去するステップを更に含む請求項１に記載の方法。
【請求項４】
前記ハプティック許可設定は、前記第１のユーザのための複数のハプティックパラメータセットを含み、各ハプティックパラメータセットは、異なる認証されたユーザによりアクセス可能であり、かつ異なる許可されたハプティックパラメータ範囲と関連付けられる請求項２に記載の方法。
【請求項５】
前記許可されたハプティックパラメータ範囲は、持続期間範囲、力範囲、温度範囲、大きさ範囲及び周波数範囲を含み、各許可されたハプティックパラメータ範囲は、下限及び上限を含む請求項１に記載の方法。
【請求項６】
前記許可されたハプティックパラメータ範囲は、アクチュエータ種類範囲及び身体の領域範囲を含む請求項１に記載の方法。
【請求項７】
前記許可されたハプティックパラメータ範囲は、前記第１のユーザのための前記ハプティック効果の開始を提供するために認証された特定のユーザのアイデンティティ範囲を含む請求項１に記載の方法。
【請求項８】
前記許可されたハプティックパラメータ範囲は、身体の部位、温度、力、振動、モーションの範囲、モーションの範囲に亘る力のプロファイル、ハプティック出力デバイスの時間シーケンシング、ユーザの身体の上のハプティック出力デバイスの位置又はハプティック出力デバイスの種類、のうちの少なくとも１つに基づく、請求項１に記載の方法。
【請求項９】
プロセッサによって実行されたとき、前記プロセッサにハプティック効果を生成させる命令を有する非一時的コンピュータ可読媒体であって、
第１のユーザのためのハプティック許可設定を受け付けるステップと、
前記ハプティック許可設定を、前記第１のユーザのための許可されたハプティックパラメータ範囲と関連付けるステップと、
第２のユーザからハプティックパラメータを受け付けるステップと、
前記許可されたハプティックパラメータ範囲外である各ハプティックパラメータについて、前記ハプティックパラメータを修正して、前記許可されたハプティックパラメータ範囲内である修正された前記ハプティックパラメータを形成するステップと、
前記許可されたハプティックパラメータ範囲内である前記ハプティックパラメータ及び修正された前記ハプティックパラメータに基づいて、ハプティック信号を生成するステップと、
前記第１のユーザのための前記ハプティック効果を生成するために前記ハプティック信号をハプティック出力デバイスに出力するステップと、
を備える非一時的コンピュータ可読媒体。
【請求項１０】
ウェアラブルハプティック可能システムであって、
プロセッサと、
前記プロセッサと結合されたハプティック出力デバイスと、
第１のユーザのためのハプティック許可設定を受け付けるためのインターフェースと、を備え、
前記プロセッサは、
前記ハプティック許可設定を、前記第１のユーザのための許可されたハプティックパラメータの範囲と関連付け、
第２のユーザからハプティックパラメータを受け付け、
前記許可されたハプティックパラメータ範囲外である各ハプティックパラメータについて、前記ハプティックパラメータを修正して、前記許可されたハプティックパラメータ範囲内である修正された前記ハプティックパラメータを形成し、
前記許可されたハプティックパラメータ範囲内である前記ハプティックパラメータ及び修正された前記ハプティックパラメータに基づいて、ハプティック信号を生成し、
前記第１のユーザのためのハプティック効果を生成するために前記ハプティック信号をハプティック出力デバイスに出力するための記憶された命令を実行するように構成される、システム。
【請求項１１】
ハプティック効果を生成する方法であって、
ユーザのためのハプティック許可設定を受け付けるステップと、
前記ハプティック許可設定を、ユーザのための許可されたハプティックパラメータ範囲と関連付けるステップと、
ハプティックパラメータを受け付けるステップと、
前記許可されたハプティックパラメータ範囲外である各ハプティックパラメータについて、前記ハプティックパラメータを修正して、前記許可されたハプティックパラメータ範囲内である修正された前記ハプティックパラメータを形成するステップと、
前記許可されたハプティックパラメータ範囲内である前記ハプティックパラメータ及び修正された前記ハプティックパラメータに基づいて、ハプティック信号を生成するステップと、
前記ユーザのための前記ハプティック効果を生成するために前記ハプティック信号をハプティック出力デバイスに出力するステップと、
を備える方法。
【請求項１２】
前記ハプティックパラメータは、前記ユーザのための前記ハプティック効果の開始を提供するために認証されたパーティから受け付けられる請求項１１に記載の方法。
【請求項１３】
前記ハプティックパラメータが、前記許可されたハプティックパラメータ範囲外であるとき、前記ユーザのための前記ハプティック効果を除去するステップを更に含む請求項１１に記載の方法。
【請求項１４】
前記ハプティック許可設定は、前記ユーザのための複数のハプティックパラメータセットを含み、各ハプティックパラメータセットは、異なる認証されたパーティによりアクセス可能であり、かつ異なる許可されたハプティックパラメータ範囲と関連付けられる請求項１２に記載の方法。
【請求項１５】
前記許可されたハプティックパラメータ範囲は、持続期間範囲、力範囲、温度範囲、大きさ範囲及び周波数範囲を含み、各許可されたハプティックパラメータ範囲は、下限及び上限を含む請求項１１に記載の方法。
【請求項１６】
前記許可されたハプティックパラメータ範囲は、アクチュエータ種類範囲及び身体の領域範囲を含む請求項１１に記載の方法。
【請求項１７】
前記許可されたハプティックパラメータ範囲は、前記ユーザのための前記ハプティック効果の開始を提供するために認証された特定のパーティのアイデンティティ範囲を含む請求項１１に記載の方法。
【請求項１８】
前記許可されたハプティックパラメータ範囲は、身体の部位、温度、力、振動、モーションの範囲、モーションの範囲に亘る力のプロファイル、ハプティック出力デバイスの時間シーケンシング、ユーザの身体の上のハプティック出力デバイスの位置又はハプティック出力デバイスの種類、のうちの少なくとも１つに基づく、請求項１１に記載の方法。
【請求項１９】
プロセッサによって実行されたとき、前記プロセッサにハプティック効果を生成させる命令を有する非一時的コンピュータ可読媒体であって、
ユーザのためのハプティック許可設定を受け付けるステップと、
前記ハプティック許可設定を、前記ユーザのための許可されたハプティックパラメータ範囲と関連付けるステップと、
ハプティックパラメータを受け付けるステップと、
前記許可されたハプティックパラメータ範囲外である各ハプティックパラメータについて、前記ハプティックパラメータを修正して、前記許可されたハプティックパラメータ範囲内である修正された前記ハプティックパラメータを形成するステップと、
前記許可されたハプティックパラメータ範囲内である前記ハプティックパラメータ及び修正された前記ハプティックパラメータに基づいて、ハプティック信号を生成するステップと、
前記ユーザのための前記ハプティック効果を生成するために前記ハプティック信号をハプティック出力デバイスに出力するステップと、
を備える非一時的コンピュータ可読媒体。
【請求項２０】
ウェアラブルハプティック可能システムであって、
プロセッサと、
前記プロセッサと結合されたハプティック出力デバイスと、
ユーザのためのハプティック許可設定を受け付けるためのインターフェースと、を備え、
前記プロセッサは、
前記ハプティック許可設定を、前記ユーザのための許可されたハプティックパラメータの範囲と関連付け、
ハプティックパラメータを受け付け、
前記許可されたハプティックパラメータ範囲外である各ハプティックパラメータについて、前記ハプティックパラメータを修正して、前記許可されたハプティックパラメータ範囲内である修正された前記ハプティックパラメータを形成し、
前記許可されたハプティックパラメータ範囲内である前記ハプティックパラメータ及び修正された前記ハプティックパラメータに基づいて、ハプティック信号を生成し、
前記ユーザのためのハプティック効果を生成するために前記ハプティック信号をハプティック出力デバイスに出力するための記憶された命令を実行するように構成される、システム。